(57)【要約】【課題】ケーブルの本数が変更になった場合にも、容易に対応できるとともに防鼠機能が損なわれないようにすることができる鉄道用器具箱を提供する。【解決手段】底壁の一部に横長な開口部（１１Ａ）が形成されている筐体（１１）と、筐体内に設置され電気機器を支持するための支持部材（１２）と、前記開口部を閉塞可能な仕切り板（２１）とを備えた鉄道用器具箱において、前記開口部（１１Ａ）の一方の長辺の縁部には、上方へ向って突出するように係合片（１８）を形成し、前記仕切り板は前記開口部の長手方向に沿って複数のピース（Ｐ１〜Ｐ１５）に分割するとともに、各ピースの下面の前記係合片に対応する部位に、その深さが前記係合片の高さよりも大きく設定されることで前記係合片に係合可能に形成された切込み溝（２１ａ）を設けるようにした。【選択図】図３
2018075957.tif 000002
【特許請求の範囲】
【請求項１】
底壁の一部に横長な開口部が形成されている筐体と、
前記筐体内に設置され電気機器を支持するための支持部材と、
前記開口部を閉塞可能な仕切り板と、を備えた鉄道用器具箱であって、
前記開口部の一方の長辺の縁部には、上方へ向って突出するように係合片が形成され、
前記仕切り板は、前記開口部の長手方向に沿って複数のピースに分割されているとともに、各ピースの下面の前記係合片に対応する部位には、その深さが前記係合片の高さよりも大きく設定されることで前記係合片に係合可能に形成された切込み溝が設けられていることを特徴とする鉄道用器具箱。
【請求項２】
前記切込み溝は、深さが溝幅より２倍以上大きくなるように形成されていることを特徴とする請求項１に記載の鉄道用器具箱。
【請求項３】
前記複数のピースは、互いに幅が異なるように形成された２種類以上の矩形状ピースであることを特徴とする請求項２に記載の鉄道用器具箱。
【発明の詳細な説明】
【技術分野】
【０００１】
本発明は、鉄道用器具箱に関し、特にケーブルの立ち上がり箇所の構成技術に関する。
【背景技術】
【０００２】
鉄道の沿線には、踏切、信号機や電気転てつ機等の電気装置を制御する信号を生成したり分岐したりするシーケンス回路を構成する電磁リレーや電源装置等の電気機器を収納する鉄道用器具箱が、地上から少し高い位置に設置されている。
そして、駅構内の機器室等に配設されている連動装置等から上記鉄道用器具箱へ制御信号を伝送したり電力を供給したりする複数のケーブルが、線路横に設けられているトラフ等を利用して敷設され、トラフ等から鉄道用器具箱へケーブルが立ち上がり、内部の電気機器に接続されるように構成されている。
【０００３】
ところで、鉄道の沿線の器具箱は、設置個所や使用条件、用途等に応じて、内部に収納される電気機器の種類や数および電気機器に接続するケーブルの本数が異なっている。
また、従来の鉄道用器具箱では、ケーブルを伝ってネズミなどの小動物や昆虫等が内部に入り込まないようにするため、穴あけなどの加工が可能な木製の板を底に敷き、板に形成された穴を通してケーブルを内部へ引き込むように構成される。
そのため、鉄道用器具箱の底壁を構成する木製の板に形成されるケーブルの挿通穴は、器具箱ごとに異なるのが、一般的である。
【先行技術文献】
【特許文献】
【０００４】
【特許文献１】特開２０１１−８８５５９号公報
【特許文献２】特開２００５−５３４３６号公報
【発明の概要】
【発明が解決しようとする課題】
【０００５】
従来、鉄道用器具箱の底壁を構成する木製の板への穴あけ加工は、器具箱が設置されている現場において行なわれることが多かった。また、器具箱内の電気機器の改修や交換等の際にケーブルの本数が変更になることがあり、その場合には、穴の大きさを拡大したり余裕が生じた隙間に対してパテを塗布したりするなどの作業が実施されていた。
しかしながら、木製の底板への穴あけ加工等の作業には時間がかかるため、底板が外されたままに放置されることがあり、その場合、防鼠が行なえなくなるという課題があった。
【０００６】
なお、鉄道用器具箱に関する発明としては、例えば特許文献１や２に記載されているものがある。しかしながら、特許文献１や２に記載されている発明は、いずれも器具箱の扉の構成に関するものであり、本願発明のような器具箱の底板に関する課題については、記載されていない。
本発明は上記のような課題に着目してなされたもので、その目的とするところは、ケーブルの本数が変更になった場合にも容易に対応できるとともに、防鼠機能が損なわれないようにすることができる鉄道用器具箱を提供することにある。
本発明の他の目的は、大幅なコストアップを招くことなく、ケーブル本数の変更に対応することができる鉄道用器具箱を提供することにある。
【課題を解決するための手段】
【０００７】
上記目的を達成するため、この発明は、
底壁の一部に横長な開口部が形成されている筐体と、前記筐体内に設置され電気機器を支持するための支持部材と、前記開口部を閉塞可能な仕切り板と、を備えた鉄道用器具箱において、
前記開口部の一方の長辺の縁部には、上方へ向って突出するように係合片が形成され、
前記仕切り板は、前記開口部の長手方向に沿って複数のピースに分割されているとともに、各ピースの下面の前記係合片に対応する部位には、その深さが前記係合片の高さよりも大きく設定されることで前記係合片に係合可能に形成された切込み溝が設けられているように構成したものである。
【０００８】
上記のように構成された鉄道用器具箱によれば、筐体底壁に形成された開口部を閉塞するための仕切り板は、開口部の長手方向に沿って複数のピースに分割されているため、いずれかのピースを外すことによってケーブルを挿通させる穴を容易に生成させることができ、ケーブルの本数が変更になった場合にも、容易に対応することができる。
また、各ピースの下面の、開口部縁部に形成されている係合片に対応する部位に、その深さが係合片の高さよりも大きく設定された切込み溝が形成されているため、仕切り板を構成するピースの端部を押し上げた際に係合片に切込み溝の入り口部分が当たることで、ピースを固定するボルトを用いなくても防止することができ、これによって仕切り板による防鼠機能が損なわれないようにすることができる。
【０００９】
ここで、望ましくは、前記切込み溝は、深さが溝幅より２倍以上大きくなるように形成されているようにする。
かかる構成によれば、仕切り板を構成するピースの端部を押し上げた際に係合片に切込み溝の入り口部分が確実に当たるようにすることができ、それによって仕切り板による防鼠機能がより確実に損なわれないようにすることができる。
【００１０】
さらに、望ましくは、前記複数のピースは、互いに幅が異なるように形成された２種類以上の矩形状ピースであるようにする。
かかる構成によれば、いずれかのピースを開口部から外すことで異なる大きさのケーブル挿通穴を形成することができるため、挿通したいケーブルの本数に応じた大きさの挿通穴を形成することができ、ケーブルと挿通穴との隙間に防鼠のためのパテを塗布する場合に、パテの塗布範囲および量を少なくすることができる。
【００１１】
また、前記複数のピースは、それぞれ台形状をなすように形成されているように構成してもよい。
仕切り板を構成するピースを台形状にすることにより、矩形状のものに比べて、ケーブルと挿通穴との間に生じる隙間を小さくできるため、パテの塗布範囲および量を少なくすることができる。
【００１２】
あるいは、前記複数のピースのいずれか２つには、隣接して配置された際に、ケーブル挿通穴を形成可能な切欠きが設けられているように構成してもよい。
かかる構成によれば、複数のピースのいずれか２つにはケーブル挿通穴を形成可能な切欠きが設けられているので、これらのピースを隣接して配置することでケーブル挿通穴を形成することができるとともに、ピースを開口部から取り外してしまうことでケーブル挿通穴を形成する場合に比べて、ケーブルを挿通するための穴の大きさを小さくすることができるため、パテの塗布範囲および量を少なくすることができる。
【発明の効果】
【００１３】
本発明によれば、ケーブルの本数が変更になった場合にも容易に対応できるとともに、防鼠機能が損なわれない鉄道用器具箱を実現することができる。また、本発明によれば、大幅なコストアップを招くことなく、ケーブル本数の変更に対応可能な鉄道用器具箱を実現することができるという効果がある。
【図面の簡単な説明】
【００１４】
【図１】一般的な鉄道用器具箱の例を示すもので、背面側の扉を開いた状態を示す斜視図である。
【図２】本発明に係る鉄道用器具箱の一実施形態の筐体底壁の構成を示す斜視図である。
【図３】筐体底壁の仕切り板の一部を外した状態を示す斜視図である。
【図４】実施形態の鉄道用器具箱の筐体底壁の要部の拡大断面側面図である。
【図５】筐体底壁の仕切り板を構成するピースの前端を持ち上げた状態を示す拡大断面側面図である。
【図６】実施形態の鉄道用器具箱の第１変形例における筐体底壁の構成を示す平面図である。
【図７】実施形態の鉄道用器具箱の第２変形例における筐体底壁の構成を示す平面図である。
【発明を実施するための形態】
【００１５】
以下、図面を参照しつつ、本発明に係る鉄道用器具箱について詳細に説明する。
図１は、一般的な鉄道用器具箱の例を示すもので、背面側の扉を開いた状態を示す斜視図である。
図１に示すように、鉄道用器具箱１０は、箱状をなす金属製の筐体１１内に、信号機や電気転てつ機等の電気装置および該電気装置を制御する信号を生成したり分岐したりするシーケンス回路を構成する電磁リレーや電源装置等の電気機器が収納されている。筐体１１は、前後がそれぞれ開口されており、該開口部に対応して各々ヒンジにより開閉可能に構成された扉（図示省略）が設けられている。
【００１６】
筐体１１内には、底壁から上方へ向かってプレート状もしくはレール状の支持フレーム１２が立設され、該支持フレーム１２に電磁リレー等の電気機器１３や端子台１４がボルト等によって装着され、各電気機器１３や端子台１４にはそれぞれケーブル１５が接続されている。図１に示されている電気機器１３は、正確には、電磁リレーの端子が差し込まれるジャック盤背面のコネクタである。なお、鉄道用器具箱は、設置個所や使用条件、用途等に応じて内部に収納される電気機器の種類や数、配置、接続するケーブル１５の本数が異なる。また、筐体１１の底壁に木製の板を敷き、その上にマウントフレームや防振台によって電磁リレー等の電気機器が載置されることもある。従って、図１に示されている器具箱の構成は単に一例であって、図示のような構成を有するものに限定されるものではない。
【００１７】
図１に示す鉄道用器具箱１０は、支持フレーム１２と後壁としての扉との間に、ケーブルを通すための空間が形成されるように、後壁から少し奥まった位置に設けられており、該空間に対応して筐体１１の底壁には開口部１１Ａが形成され、該開口部１１Ａには、図２に示すように、開口部１１Ａよりも一回り大きな木製の仕切り板２１が設置され、閉塞されるように構成されている。そして、この仕切り板２１には、外部のトラフから引き込まれて鉄道用器具箱内へ立ち上がるケーブル１５が挿通される挿通穴が形成され、該挿通穴とケーブル１５との隙間には、防鼠対策のために穴埋め用のパテ１６を塗布して塞ぐようにしていた。そのため、作業には時間がかかってしまったり、底板が外されたまま放置されて防鼠が行なえなくなってしまうことがあるという課題があった。
【００１８】
本発明は、上記課題を解決するため、器具箱底部の仕切り板２１の構成を工夫したものであり、以下、その具体例について、図２〜図４を用いて説明する。なお、図２〜図４では、図示の都合上、筐体１１の底壁に木製の板１７を敷き、その上にマウントフレームや防振台によって電気機器を載置する形式のものにおいて、電気機器の図示を省略している。
図２〜図４は、本発明の実施形態を適用した鉄道用器具箱１０の筐体１１の底壁の構成を示すもので、図２はその斜視図、図３は仕切り板の一部を外した状態を示す平面図、図４は要部の拡大側面図である。
【００１９】
図２に示すように、本実施形態においては、木製の仕切り板２１が、複数の矩形状をなすピースＰ１，Ｐ２，Ｐ３……Ｐ１５に分割され、これらのピースを筐体１１の底壁の開口部１１Ａの縁に沿って並べて敷き詰めることによって、開口部１１Ａを閉塞できるように構成されている。しかも、ピースＰ１，Ｐ２，Ｐ３……Ｐ１５として幅の異なる２種類のものが用意されている。
【００２０】
底壁の開口部１１Ａにケーブルを挿通したい場合には、挿通するケーブルの本数に応じて、例えば図３に示すように、一部のピースを外すことで開口１２ａを形成する。そして、この開口１２ａにケーブルを挿通した際に生じた隙間は、図１と同様にパテを塗布して塞ぐようにする。このとき、幅の大きなピースを外すと大きな開口が形成され、幅の小さなピースを外すと小さな開口が形成されるため、ケーブルの本数に応じて外すピースを選択することで、ケーブルと開口１２ａとの隙間を小さくしてパテを塗布する範囲および量を少なくすることができる。
【００２１】
また、本実施形態においては、図４に示すように、筐体１１の開口部１１Ａの前端に沿って、底壁構成部材を上方へ折曲させることで形成された係合片１８が設けられているとともに、仕切り板２１を構成する各ピースＰ１，Ｐ２，Ｐ３……Ｐ１５の下面の前端縁近傍には、上記係合片１８に対応して、開口部１１Ａの長手方向すなわち各ピースの幅方向に沿った切込み溝２１ａが形成されている。各ピースの切込み溝２１ａは、その幅が係合片１８の厚みよりも大きくされることで、係合片１８に係合可能に構成されている。
【００２２】
各ピースは、切込み溝２１ａを係合片１８に係合させることで、前後方向へ移動不能にされるとともに、位置決めがなされるように構成されている。さらに、各ピースを、後端下縁を支点にして上方へ回動させて傾けた際に、図５に示すように、切込み溝２１ａの入り口の縁部が係合片１８の側面に当接することで、それ以上持ち上がらないように、係合片１８の高さと切込み溝２１ａの幅が設定されている。具体的には、例えば切込み溝２１ａの幅をＷ、係合片１８の高さをＨとおくと、Ｈ≧２Ｗとなるように設定するとよい。
【００２３】
さらに、本実施形態においては、筐体１１の底壁の開口部１１Ａ前端から筐体１１の前壁下部にかけて、断面Ｌ字状のブラケット１９が取り付けられており、切込み溝２１ａの形成位置に誤差があっても各ピースの前端を正確に位置決めすることができる。また、仕切り板２１を構成する各ピースＰ１〜Ｐ１５の厚みは、このブラケット１９の厚みよりも大きくなるように設定されている。これにより、開口部１１Ａを塞ぐように各ピースＰ１〜Ｐ１５が設置された際に、各ピースＰ１〜Ｐ１５の前端面２１ｂの上部がブラケット１９の水平部分の上面よりも上方に露出することになるため、ピースＰ１〜Ｐ１５を外す際に、ブラケット１９に邪魔されずに持ち上げることができ、作業性が良好となる。
【００２４】
上記のような構成により、ネズミなどの小動物が仕切り板２１の下方からいずれかのピースＰｉ（ｉ＝１，２……１５）の前端を押し上げた際に、切込み溝２１ａの入り口の縁部が係合片１８の側面に当接することによって、当該ピースＰｉが所定角度以上傾くのを阻止し開口部から落下してしまうのを防止することができる。また、小動物が仕切り板２１の下方からピースＰｉの後端を押し上げた際にも、切込み溝２１ａの入り口の縁部が係合片１８の側面に当接することによって、当該ピースが所定角度以上傾くのを阻止することができ、ピースＰｉが開口部から外れてしまうのを防止することができる。
【００２５】
なお、従来の鉄道用器具箱においては、一般に、仕切り板２１の後端部の上方に、二点鎖線Ｆで示すように、収納機器を保持するフレームやレールがぎりぎりまで配設されているため、仕切り板２１の後端を押し上げると後端の縁部がフレームやレールに当ることによってほとんど傾くことがないようになっている。
このような構造の場合、作業者は先ず仕切り板２１（ピース）の後端を、筐体底壁の開口部１１Ａの縁部とフレームやレールの下端との間隔に挿入しながら、下面の切込み溝２１ａの入り口を係合片１８の頭部に合致させて仕切り板２１（ピース）の前端を下げることで、開口部１１Ａの内側にセットすることができる。
【００２６】
なお、図２には、幅の広いものと幅の狭いものとの２種類から構成されている例が示されているが、全てのピースの幅を変えても良い。また、全体を仮想的に例えば１６等分して、８／１６（＝１／２）の幅を有するピースと、４／１６（＝１／４）の幅を有するピースと、２／１６（＝１／８）の幅を有するピースと、１／１６の幅を有するピース２個、によって仕切り板２１を構成するようにしても良い。
このような分割の仕方をすることで、少ない数のピースによって種々の大きさのケーブル挿通穴を形成することが可能となる。
【００２７】
（変形例）
第１の変形例は、１枚の仕切り板２１を構成するピースを、矩形状ではなく、図６に示すように、台形状に分割して、ケーブル挿通穴を形成する際には、奥側が狭いピースＰ２，Ｐ４，Ｐ６……を外すようにしたものである。各ピースの裏面の切込み溝２１ａは、上記第１実施形態と同様に設けておく。このような変形例によれば、ケーブルとその挿通穴との間に生じる隙間を小さくして、パテの塗布範囲および量を少なくすることできるという利点がある。また、１枚の板を切断してピースを作成する際に、矩形状のものと同様に、切断加工が簡単であるという利点がある。
【００２８】
第２の変形例は、前記実施形態の仕切り板２１を構成するピースと同一の幅を有し、ピースの奥側に、図７に示すように、台形状のケーブル挿通穴を形成可能な切欠き２２を有するピースを設けたものである。このピースは、予備のピースとして用意しておいても良いし、ミシン目のような破断し易くするための切込み線を設けて切込み線に沿って破断することで切欠き２２を形成可能なピースとしても良い。各ピースの裏面の切込み溝２１ａは、上記第１実施形態と同様に設けておく。
【００２９】
第２の変形例の仕切り板２１を使用してケーブル挿通穴を形成したい場合には、矩形状のピースを２枚外して切欠き２２を有する２枚の予備ピースを差し替えるか、切込み線を有するピースを外して切込み線に沿って破断して切欠き２２を形成してからそのピースを元の位置に差し込むようにする。このような変形例によれば、ケーブルとその挿通穴との間に生じる隙間を小さくして、パテの塗布範囲および量をさらに少なくすることできるという利点がある。
【００３０】
以上、本発明の実施形態について説明したが、本発明は上記実施形態に限定されるものではなく、種々の変形や変更が可能である。例えば、上記実施形態では、筐体底壁の開口部１１Ａの前端縁に沿って上方へ折曲された係合片１８を設け、仕切り板２１を構成するピースの裏面の前端縁近傍に係合片１８と係合可能な切込み溝２１ａを設けているが、筐体底壁の開口部１１Ａの後端縁側にも上方へ折曲された係合片を設けるとともに、各ピースの裏面の前端縁近傍および後端縁近傍に係合片と係合可能な切込み溝を設けるようにしても良い。
【００３１】
また、上記実施形態では、筐体底壁の開口部１１Ａの前端縁に沿って上方へ折曲された係合片１８と該係合片１８と係合可能な切込み溝２１ａを、仕切り板２１の下面と垂直な方向へ向くように形成しているが、上方へ向うほど前方に位置するように傾斜を付けて形成するようにしても良い。
さらに、上記実施形態では、本発明を鉄道用器具箱に適用した場合について説明したが、本発明は鉄道用器具箱に限定されず、道路沿線等、屋外に設置される器具箱に広く利用することができる。
【符号の説明】
【００３２】
１０    鉄道用器具箱
１１    筐体
１１Ａ  開口部
１２    支持フレーム（支持部材）
１５    ケーブル
１６    パテ
１８    係合片
２１    仕切り板
２１ａ  切込み溝
２２    切欠き
【図１】
2018075957.tif 000003
【図２】
2018075957.tif 000004
【図３】
2018075957.tif 000005
【図４】
2018075957.tif 000006
【図５】
2018075957.tif 000007
【図６】
2018075957.tif 000008
【図７】
2018075957.tif 000009